(57)【要約】【課題】高度な着付け技術を必要とせずに、振袖などの着物をドレスのように着付ける方法、及びそれに使用する着物着付け用ベルトを提供する。【解決手段】本発明に係る着物着付け用ベルト（Ａ）は、長手方向に伸縮自在な第一のゴム及び前記第一のゴムの一方の端部に取り付けられた紐からなるベルト部と、前記第一のゴムの他方の端部に取り付けられた、着物を留めるクリップ部とを有する。本発明に係る着物着付け用ベルト（Ｂ）は、さらに、一方の端部が前記第一のゴムに取り付けられた、長手方向に伸縮自在な第二のゴムをも有している。本発明に係る着物着付け用ベルトを使用することで、高度な着付け技術なしに、振袖などの着物をドレスのように着付けることができる。【選択図】図２
2014037659.tif 000002
【特許請求の範囲】
【請求項１】
着物をドレスのように着付ける際に使用する着物着付け用ベルトであって、
長手方向に伸縮自在な第一のゴム及び前記第一のゴムの一方の端部に取り付けられた紐からなるベルト部と、
前記第一のゴムの他方の端部に取り付けられた、着物を留めるクリップ部と
を有する着物着付け用ベルト（Ａ）。
【請求項２】
着物をドレスのように着付ける際に使用する着物着付け用ベルトであって、
長手方向に伸縮自在な第一のゴム及び前記第一のゴムの一方の端部に取り付けられた紐からなるベルト部と、
前記第一のゴムの他方の端部に取り付けられた、着物を留めるクリップ部と
一方の端部が前記第一のゴムに取り付けられた、長手方向に伸縮自在な第二のゴムと
を有する着物着付け用ベルト（Ｂ）。
【請求項３】
前記第二のゴムの他方の端部に、面ファスナーが取り付けられている請求項２に記載の着物着付け用ベルト（Ｂ）。
【請求項４】
着物をドレスのように着付ける方法であって、
着物の襟部分の内側中央部を着用者のバスト位置にあてるとともに、着物の襟部分の両サイドを、それぞれ着用者の左右の脇を通して背中側にまわす工程と、
請求項２又は３に記載の着物着付け用ベルト（Ｂ）を２つ準備し、それらのクリップ部を、それぞれ着物の襟部分の左右両サイドに留める工程と、
前記着物着付け用ベルト（Ｂ）の２つが有する前記ベルト部を左右クロスさせ、それぞれ着用者の左右の脇を通してアンダーバスト位置にまわし再度左右クロスさせ、さらに着用者の左右の脇を通して背中側にまわした状態で前記着物着付け用ベルト（Ｂ）の２つが有する前記紐を結ぶことで、着物の襟部分を着用者のバスト周りに固定する工程と、
着用者のウエスト位置にある着物の背中部分を適宜折り畳んで、着用者の足下位置にある着物の丈を調整する工程と、
前記着物着付け用ベルト（Ｂ）の２つが有する前記第二のゴムを、それぞれ着用者の左右の脇を通してウエスト位置に巻き付けることで、着物の背中部分を着用者のウエスト周りに固定する工程と
を有する方法。
【請求項５】
着物をドレスのように着付ける方法であって、
着物の襟部分の内側中央部を着用者のバスト位置にあてるとともに、着物の襟部分の両サイドを、それぞれ着用者の左右の脇を通して背中側にまわす工程と、
請求項１に記載の着物着付け用ベルト（Ａ）を４つ準備し、それらのクリップ部を２つずつ、それぞれ着物の襟部分の左右両サイドに留める工程と、
前記着物着付け用ベルト（Ａ）のうち、着物の襟部分の左右両サイドに留めた１つずつが有する前記ベルト部を左右クロスさせ、それぞれ着用者の左右の脇を通してアンダーバスト位置にまわし再度左右クロスさせ、さらに着用者の左右の脇を通して背中側にまわした状態で前記着物着付け用ベルト（Ａ）の２つが有する前記紐を結ぶことで、着物の襟部分を着用者のバスト周りに固定する工程と、
着用者のウエスト位置にある着物の背中部分を適宜折り畳んで、着用者の足下位置にある着物の丈を調整する工程と、
前記着物着付け用ベルト（Ａ）のうち、残りの２つが有する前記ベルト部を、それぞれ着用者の左右の脇を通してウエスト位置に巻き付けることで、着物の背中部分を着用者のウエスト周りに固定する工程と
を有する方法。
【請求項６】
着物の両袖部分を、それぞれ着用者の左右の脇を通して背中側にまわす工程と、
請求項１に記載の着物着付け用ベルト（Ａ）を２つ準備し、それらのクリップ部を、それぞれ着物の両袖部分の袖口に留める工程と、
前記着物着付け用ベルト（Ａ）の２つが有する前記ベルト部を左右クロスさせ、それぞれ着用者の左右の脇を通してアンダーバスト位置にまわし再度左右クロスさせ、さらに着用者の左右の脇を通して背中側にまわした状態で前記着物着付け用ベルト（Ａ）の２つが有する前記紐を結ぶことで、着物の袖部分を着用者の背中の位置に固定する工程と、
をさらに有する請求項４又は５に記載の方法。
【請求項７】
着用者のアンダーバスト位置からウエスト位置にかけて、着物の帯を巻き付けて結ぶことで、使用した着物着付け用ベルトを隠す工程をさらに有する請求項４〜６のいずれか１項に記載の方法。
【請求項８】
前記着物が、振袖である請求項４〜７のいずれか１項に記載の方法。
【発明の詳細な説明】
【技術分野】
【０００１】
本発明は、振袖などの着物をドレスのように着付ける方法、及びそれに使用する着物着付け用ベルトに関する。
【背景技術】
【０００２】
振袖とは、袖の長い着物のことを言い、未婚の女性が成人式や結婚式（花嫁、出席者）などの晴れの舞台で着用するものである。現在では、女性が初めて振袖を着るのは成人式の時であることが多く、娘を持つ親は、娘が成人するのに合わせて振袖を買い与えたりしている。
【０００３】
しかし、振袖は基本的に未婚の女性が着る着物であり、既婚の女性は、袖の短い留袖と訪問着を着るのが昔からのしきたりである。すなわち、娘を持つ親は、娘が成人する際に振袖を買い与えても、その振袖を着ている娘を見る機会は極めて少なく、娘が結婚した後は、振袖を見る機会すらなくなってしまう。
【０００４】
そこで、昔からのしきたりを守りつつ、大切な思い出が詰まった振袖を親に見せる機会を作るため、既婚女性が結婚前に親に買って貰った振袖をドレスのように着て、その姿を写真やビデオに撮って親にプレゼントするというサービスが知られている（非特許文献１）。振袖などの着物をドレスのように着るためには、まず、着物の襟部分の内側中央部を着用者のバスト位置にあてるとともに、着物の襟部分の両サイドを、それぞれ着用者の左右の脇を通して背中側にまわして固定する。次に、着用者のウエスト位置にある着物の背中部分を適宜折り畳んで、着用者の足下位置にある着物の丈を調整し、その背中部分を固定する。そして、着物の両袖部分を、それぞれ着用者の左右の脇を通して背中側にまわして固定し、最後に、着物の帯を巻き付けて結べば、着物をドレスのように着ることができる（図８及び９）。
【０００５】
その際、着物の襟部分の固定、着物の背中部分を固定、及び着物の両袖部分の固定には、着物の着付けに使う紐（腰紐や胸紐）や、長手方向に伸縮自在なゴムの両端部にクリップ部を取り付けた所謂コーリンベルトを用いていた。
【先行技術文献】
【非特許文献】
【０００６】
【非特許文献１】http://princess-p.jp/pg140.html
【発明の概要】
【発明が解決しようとする課題】
【０００７】
特に着物の襟部分を紐で固定するためには、しっかり紐で締めなければならないが、ただきつく締めればいい訳ではなく、高度な着付け技術が必要であった。紐の締めが少しでも甘いと、時間とともに紐が緩んでしまい、バストの位置で着物がはだけてしまう可能性がある。一方、着物の襟部分をコーリンベルトのような全体がゴムのベルトで固定すると、ゴムが着用者の身体に食い込んでしまい、着用者は苦しい思いをしながら写真やビデオを撮影することになるので、いい写真やビデオを撮ることは難しかった。
【０００８】
そこで、本発明は、高度な着付け技術を必要とせずに、振袖などの着物をドレスのように着付ける方法、及びそれに使用する着物着付け用ベルトを提供することを目的とする。
【課題を解決するための手段】
【０００９】
本発明の第１は、着物をドレスのように着付ける際に使用する着物着付け用ベルトであって、長手方向に伸縮自在な第一のゴム及び前記第一のゴムの一方の端部に取り付けられた紐からなるベルト部と、前記第一のゴムの他方の端部に取り付けられた、着物を留めるクリップ部とを有する着物着付け用ベルト（Ａ）である。
【００１０】
本発明の第２は、着物をドレスのように着付ける際に使用する着物着付け用ベルトであって、長手方向に伸縮自在な第一のゴム及び前記第一のゴムの一方の端部に取り付けられた紐からなるベルト部と、前記第一のゴムの他方の端部に取り付けられた、着物を留めるクリップ部と、一方の端部が前記第一のゴムに取り付けられた、長手方向に伸縮自在な第二のゴムとを有する着物着付け用ベルト（Ｂ）である。
【００１１】
本発明の第３は、着物をドレスのように着付ける方法であって、
着物の襟部分の内側中央部を着用者のバスト位置にあてるとともに、着物の襟部分の両サイドを、それぞれ着用者の左右の脇を通して背中側にまわす工程と、
本発明の第２に係る着物着付け用ベルト（Ｂ）を２つ準備し、それらのクリップ部を、それぞれ着物の襟部分の左右両サイドに留める工程と、
前記着物着付け用ベルト（Ｂ）の２つが有する前記ベルト部を左右クロスさせ、それぞれ着用者の左右の脇を通してアンダーバスト位置にまわし再度左右クロスさせ、さらに着用者の左右の脇を通して背中側にまわした状態で前記着物着付け用ベルト（Ｂ）の２つが有する前記紐を結ぶことで、着物の襟部分を着用者のバスト周りに固定する工程と、
着用者のウエスト位置にある着物の背中部分を適宜折り畳んで、着用者の足下位置にある着物の丈を調整する工程と、
前記着物着付け用ベルト（Ｂ）の２つが有する前記第二のゴムを、それぞれ着用者の左右の脇を通してウエスト位置に巻き付けることで、着物の背中部分を着用者のウエスト周りに固定する工程と
を有する方法である。
【００１２】
本発明の第４は、着物をドレスのように着付ける方法であって、
着物の襟部分の内側中央部を着用者のバスト位置にあてるとともに、着物の襟部分の両サイドを、それぞれ着用者の左右の脇を通して背中側にまわす工程と、
本発明の第１に係る着物着付け用ベルト（Ａ）を４つ準備し、それらのクリップ部を２つずつ、それぞれ着物の襟部分の左右両サイドに留める工程と、
前記着物着付け用ベルト（Ａ）のうち、着物の襟部分の左右両サイドに留めた１つずつが有する前記ベルト部を左右クロスさせ、それぞれ着用者の左右の脇を通してアンダーバスト位置にまわし再度左右クロスさせ、さらに着用者の左右の脇を通して背中側にまわした状態で前記着物着付け用ベルト（Ａ）の２つが有する前記紐を結ぶことで、着物の襟部分を着用者のバスト周りに固定する工程と、
着用者のウエスト位置にある着物の背中部分を適宜折り畳んで、着用者の足下位置にある着物の丈を調整する工程と、
前記着物着付け用ベルト（Ａ）のうち、残りの２つが有する前記ベルト部を、それぞれ着用者の左右の脇を通してウエスト位置に巻き付けることで、着物の背中部分を着用者のウエスト周りに固定する工程と
を有する方法である。
【発明の効果】
【００１３】
本発明に係る着物着付け用ベルトを使用することで、高度な着付け技術を必要とせずに、振袖などの着物をドレスのように着付けることができる。
【図面の簡単な説明】
【００１４】
【図１】本発明に係る着物着付け用ベルト（Ａ）の構成例を示す図である。
【図２】本発明に係る着物着付け用ベルト（Ｂ）の構成例を示す図である。
【図３】本発明に係る方法により振袖をドレスのように着付けている途中の状態を示す図である。
【図４】本発明に係る方法により振袖をドレスのように着付けている途中の状態を示す図である。
【図５】本発明に係る方法により振袖をドレスのように着付けている途中の状態を示す図である。
【図６】本発明に係る方法により振袖をドレスのように着付けている途中の状態を示す図である。
【図７】本発明に係る方法により振袖をドレスのように着付けた状態を示す図である。
【図８】本発明に係る方法により振袖をドレスのように着付けた状態の写真である。
【図９】本発明に係る方法により振袖をドレスのように着付けた状態の写真である。
【発明を実施するための形態】
【００１５】
本発明に係る着物着付け用ベルトは、大きく分けて２種類ある。１つは、図１に示すように、長手方向に伸縮自在な第一のゴム１１及び第一のゴム１１の一方の端部に取り付けられた紐１２からなるベルト部１０と、第一のゴム１１の他方の端部に取り付けられた、着物を留めるクリップ部２０とを有する着物着付け用ベルト（Ａ）である。もう１つは、図２に示すように、さらに、一方の端部が前記第一のゴムに取り付けられた、長手方向に伸縮自在な第二のゴム３０を有する着物着付け用ベルト（Ｂ）である。
【００１６】
第一のゴム１１は、長手方向に伸縮自在なゴムであればよく、例えば、コーリンベルトで一般に用いられているようなゴムベルトを用いることができる。第一のゴム１１の幅は、１５〜２５ｍｍ程度であることが好ましく、１８〜２２ｍｍ程度であることがより好ましい。第一のゴム１１の長さは、１０〜５０ｃｍ程度であることが好ましく、１５〜３０ｃｍ程度であることがより好ましい。
【００１７】
紐１２は、長手方向に伸縮しないものであればよく、例えば、着物の着付けに使う紐（腰紐や胸紐）を用いることができる。紐１２の幅は、第一のゴム１１と同じでも構わないが、第一のゴムより広いことが好ましく、具体的には、２５〜６０ｍｍ程度であることが好ましく、３５〜５０ｍｍ程度であることがより好ましい。紐１２の長さは、第一のゴム１１及び紐１２からなるベルト部１０を着用者の身体にまわして最後に紐１２を結ぶことができるように適宜設定できるが、５０〜１５０ｃｍ程度であることが好ましく、７０〜１３０ｃｍ程度であることがより好ましい。
【００１８】
紐１２は、第一のゴム１１の一方の端部に取り付けられ、両者がベルト部１０を構成する。取り付け方法としては、例えば、第一のゴム１１と紐１２とを互いに縫い付ける方法が挙げられる。第一のゴム１１の幅と紐１２の幅が異なる場合、そのまま縫い付けてもよく、幅が広い方を折り畳んで両者を同じ幅にした状態で縫い付けてもよい。このように、ゴム部分と紐部分の両方を持つベルト部１０を有する着物着付け用ベルトを用いることで、着物の襟部分を固定する際に、紐１２の効果により着用者が苦しく感じずに、第一のゴム１１の効果により高度な着付け技術がなくとも緩みにくい状態を実現することができる。
【００１９】
第一のゴム１１の他方の端部には、クリップ部２０が設けられている。クリップ部２０は、着物を留めることができればよく、例えば、コーリンベルトで一般に用いられているようなプラスチック製又は金属製のクリップを用いることができる。第一のゴム１１の他方の端部には、アジャスター１５が設けられていることが好ましい。
【００２０】
第二のゴム３０は、一方の端部が第一のゴム１１に取り付けられる。第二のゴム３０としては、第一のゴム１１と同様のものを用いることができる。第一のゴム１１のクリップ部取り付け方法としては、例えば、第一のゴム１１と第二のゴム３０とを互いに縫い付ける方法が挙げられる。第一のゴム１１の幅と第二のゴム３０の幅が異なる場合、そのまま縫い付けてもよく、幅が広い方を折り畳んで両者を同じ幅にした状態で縫い付けてもよい。
【００２１】
第二のゴム３０は、第一のゴム１１が有するクリップ部１５に近い箇所（例えば、クリップ部１５から５〜１０ｃｍの位置）に取り付けられることが好ましい。また、第二のゴム３０を取り付ける向きは、図２に示すように、もう一方の端部がクリップ部１５と同じ方向を向いていてもよく、それとは反対向き、すなわち紐１２と同じ方向を向いていてもよい。
【００２２】
第二のゴム３０の他方の端部に、面ファスナー３１が取り付けられていることが好ましい。そして、面ファスナー３１の相手方となる部分を、例えば、第二のゴム３０の裏面に配置する。こうすることで、第二のゴム３０を自由な位置で固定することができ、必要以上に強く締めてしまって、ゴムが着用者の身体に食い込んでしまうことを防止できる。
【００２３】
以上のような本発明に係る着物着付け用ベルトは、着物をドレスのように着付ける際に好適に使用でき、特に、振袖をドレスのように着付ける際に好適である。以下、着物（振袖）をドレスのように着付ける方法を、図面を参照しつつ説明する。
【００２４】
まず、着物の襟部分１の内側中央部を着用者のバスト位置にあてるとともに、着物の襟部分１の両サイドを、それぞれ着用者の左右の脇を通して背中側にまわす。そして、着物着付け用ベルト（Ｂ）５０を２つ準備し、それらのクリップ部を、それぞれ着物の襟部分１の左右両サイドに留める（図３）。クリップ部を留める位置は、着物の襟部分１の左右両サイドで、最終的に着用者の背中の位置になる位置であればよい。
【００２５】
次いで、着物着付け用ベルト（Ｂ）５０の２つが有するベルト部１０を左右クロスさせ、それぞれ着用者の左右の脇を通してアンダーバスト位置にまわし再度左右クロスさせ、さらに着用者の左右の脇を通して背中側にまわした状態で、着物着付け用ベルト（Ｂ）５０の２つが有する紐１２を結ぶ（図４）。こうすることで、着物の襟部分１を着用者のバスト周りにしっかり固定することができる。また、着物着付け用ベルト（Ｂ）５０が有する紐１２の効果により着用者が苦しく感じずに、着物着付け用ベルト（Ｂ）５０が有する第一のゴム１１の効果により高度な着付け技術がなくとも緩みにくい状態を実現することができる。
【００２６】
ここで、着物を通常の状態で着付ける際には、もちろん着物の襟部分１は着用者の襟位置にあり、着用者の身長等に合わせて着物の丈は調整されているはずである。しかし、本発明のように着物をドレスのように着ると、着物の襟部分１が着用者のバスト位置にくるので、当然に、着物の丈は長すぎることになる。
【００２７】
そこで、着用者のウエスト位置にある着物の背中部分４を適宜折り畳んで、着用者の足下位置にある着物の丈を調整する。そして、着物着付け用ベルト（Ｂ）の２つが有する第二のゴム３０を、それぞれ着用者の左右の脇を通してウエスト位置に巻き付ける（図５）。こうすることで、着物の丈を合わせた状態で、着物の背中部分４を着用者のウエスト周りに固定することができる。なお、この固定は緩めでも構わないことから、必要以上に強く締めてしまってゴムが着用者の身体に食い込まないようにすることが好ましい。
【００２８】
上記では着物着付け用ベルト（Ｂ）５０を２つ用いて、着物の襟部分１及び背中部分４を固定しているが、着物着付け用ベルト（Ａ）を４つ用いて、着物の襟部分１及び背中部分４を固定することもできる（不図示）。具体的には、着物着付け用ベルト（Ａ）を４つ準備し、それらのクリップ部を２つずつ、それぞれ着物の襟部分の左右両サイドに留める。そして、着物の襟部分１の左右両サイドに留めた１つずつが有するベルト部を用いて、上記と同様の方法で着物の襟部分１を着用者のバスト周りにしっかり固定することができる。一方、着物着付け用ベルト（Ａ）の残りの２つが有するベルト部を用いて、着物の背中部分４を着用者のウエスト周りに固定することができる。
【００２９】
以上のようにして着物の襟部分１及び背中部分４を固定した後は、着物の両袖部分２を固定する必要がある。着物の両袖部分２の固定方法の一例では、まず、着物の両袖部分２を、それぞれ着用者の左右の脇を通して背中側にまわす。そして、着物着付け用ベルト（Ａ）４０を２つ準備し、それらのクリップ部を、それぞれ着物の両袖部分の袖口３に留める（図６）。
【００３０】
次いで、着物着付け用ベルト（Ａ）４０の２つが有するベルト部を左右クロスさせ、それぞれ着用者の左右の脇を通してアンダーバスト位置にまわし再度左右クロスさせ、さらに着用者の左右の脇を通して背中側にまわした状態で着物着付け用ベルト（Ａ）４０の２つが有する紐を結ぶ。こうすることで、着物の袖部分２を着用者のバスト周りにしっかり固定することができる（不図示）。しかも、着物着付け用ベルト（Ａ）４０が有する紐の効果により着用者が苦しく感じずに、着物着付け用ベルト（Ａ）４０が有する第一のゴムの効果により高度な着付け技術がなくとも緩みにくい状態を実現することができる。
【００３１】
そして、最後に、着用者のアンダーバスト位置からウエスト位置にかけて、着物の帯５を巻き付けて結ぶ（図７）。こうすることで、使用した着物着付け用ベルトを着物の帯５で隠すことができる。着物の帯５は、着物を通常の状態で着付ける場合と同じように結ぶことができる。
【００３２】
以上のような本発明の方法により、高度な着付け技術を必要とせずに、振袖などの着物をドレスのように着付けることができる。なお、振袖などの着物をドレスのように着付ける際にパニエを着用することで、着物の裾をスカートのように広げることもできる。その際、着物の後ろの股下付近が開いてしまって着用者の足が見えてしまうが、そこには例えばウエディングドレスのようにトレーンを配置して隠すこともできる（図８及び９）。
【符号の説明】
【００３３】
１    振袖の襟部分
２    振袖の袖部分
３    振袖の袖部分の袖口
４    振袖の背中部分
５    振袖の帯
１０  ベルト部
１１  第一のゴム
１２  紐
１５  アジャスター
２０  クリップ部
３０  第二のゴム
３１  面ファスナー
４０  着物着付け用ベルト（Ａ）
５０  着物着付け用ベルト（Ｂ）
【図１】
2014037659.tif 000003
【図２】
2014037659.tif 000004
【図３】
2014037659.tif 000005
【図４】
2014037659.tif 000006
【図５】
2014037659.tif 000007
【図６】
2014037659.tif 000008
【図７】
2014037659.tif 000009
【図８】
2014037659.tif 000010
【図９】
2014037659.tif 000011
【手続補正書】
【提出日】平成25年2月26日(2013.2.26)
【手続補正１】
【補正対象書類名】特許請求の範囲
【補正対象項目名】全文
【補正方法】変更
【補正の内容】
【特許請求の範囲】
【請求項１】
着物をドレスのように着付ける方法であって、
着物の襟部分の内側中央部を着用者のバスト位置にあてるとともに、着物の襟部分の両サイドを、それぞれ着用者の左右の脇を通して背中側にまわす工程と、
長手方向に伸縮自在な第一のゴム及び前記第一のゴムの一方の端部に取り付けられた紐からなるベルト部と、前記第一のゴムの他方の端部に取り付けられた、着物を留めるクリップ部と、一方の端部が前記第一のゴムに取り付けられた、長手方向に伸縮自在な第二のゴムとを有する着物着付け用ベルト（Ｂ）を２つ準備し、それらのクリップ部を、それぞれ着物の襟部分の左右両サイドに留める工程と、
前記着物着付け用ベルト（Ｂ）の２つが有する前記ベルト部を左右クロスさせ、それぞれ着用者の左右の脇を通してアンダーバスト位置にまわし再度左右クロスさせ、さらに着用者の左右の脇を通して背中側にまわした状態で前記着物着付け用ベルト（Ｂ）の２つが有する前記紐を結ぶことで、着物の襟部分を着用者のバスト周りに固定する工程と、
着用者のウエスト位置にある着物の背中部分を適宜折り畳んで、着用者の足下位置にある着物の丈を調整する工程と、
前記着物着付け用ベルト（Ｂ）の２つが有する前記第二のゴムを、それぞれ着用者の左右の脇を通してウエスト位置に巻き付けることで、着物の背中部分を着用者のウエスト周りに固定する工程と
を有する方法。
【請求項２】
前記着物着付け用ベルト（Ｂ）の前記第二のゴムの他方の端部に、面ファスナーが取り付けられている請求項１に記載の方法。
【請求項３】
着物の両袖部分を、それぞれ着用者の左右の脇を通して背中側にまわす工程と、
長手方向に伸縮自在な第一のゴム及び前記第一のゴムの一方の端部に取り付けられた紐からなるベルト部と、前記第一のゴムの他方の端部に取り付けられた、着物を留めるクリップ部とを有する着物着付け用ベルト（Ａ）を２つ準備し、それらのクリップ部を、それぞれ着物の両袖部分の袖口に留める工程と、
前記着物着付け用ベルト（Ａ）の２つが有する前記ベルト部を左右クロスさせ、それぞれ着用者の左右の脇を通してアンダーバスト位置にまわし再度左右クロスさせ、さらに着用者の左右の脇を通して背中側にまわした状態で前記着物着付け用ベルト（Ａ）の２つが有する前記紐を結ぶことで、着物の袖部分を着用者の背中の位置に固定する工程と、
をさらに有する請求項１又は２に記載の方法。
【請求項４】
着物をドレスのように着付ける方法であって、
着物の襟部分の内側中央部を着用者のバスト位置にあてるとともに、着物の襟部分の両サイドを、それぞれ着用者の左右の脇を通して背中側にまわす工程と、
長手方向に伸縮自在な第一のゴム及び前記第一のゴムの一方の端部に取り付けられた紐からなるベルト部と、前記第一のゴムの他方の端部に取り付けられた、着物を留めるクリップ部とを有する着物着付け用ベルト（Ａ）を４つ準備し、それらのクリップ部を２つずつ、それぞれ着物の襟部分の左右両サイドに留める工程と、
前記着物着付け用ベルト（Ａ）のうち、着物の襟部分の左右両サイドに留めた１つずつが有する前記ベルト部を左右クロスさせ、それぞれ着用者の左右の脇を通してアンダーバスト位置にまわし再度左右クロスさせ、さらに着用者の左右の脇を通して背中側にまわした状態で前記着物着付け用ベルト（Ａ）の２つが有する前記紐を結ぶことで、着物の襟部分を着用者のバスト周りに固定する工程と、
着用者のウエスト位置にある着物の背中部分を適宜折り畳んで、着用者の足下位置にある着物の丈を調整する工程と、
前記着物着付け用ベルト（Ａ）のうち、残りの２つが有する前記ベルト部を、それぞれ着用者の左右の脇を通してウエスト位置に巻き付けることで、着物の背中部分を着用者のウエスト周りに固定する工程と
を有する方法。
【請求項５】
着物の両袖部分を、それぞれ着用者の左右の脇を通して背中側にまわす工程と、
前記着物着付け用ベルト（Ａ）を２つ準備し、それらのクリップ部を、それぞれ着物の両袖部分の袖口に留める工程と、
前記着物着付け用ベルト（Ａ）の２つが有する前記ベルト部を左右クロスさせ、それぞれ着用者の左右の脇を通してアンダーバスト位置にまわし再度左右クロスさせ、さらに着用者の左右の脇を通して背中側にまわした状態で前記着物着付け用ベルト（Ａ）の２つが有する前記紐を結ぶことで、着物の袖部分を着用者の背中の位置に固定する工程と、
をさらに有する請求項４に記載の方法。
【請求項６】
着用者のアンダーバスト位置からウエスト位置にかけて、着物の帯を巻き付けて結ぶことで、使用した着物着付け用ベルトを隠す工程をさらに有する請求項１〜５のいずれか１項に記載の方法。
【請求項７】
前記着物が、振袖である請求項１〜６のいずれか１項に記載の方法。
【手続補正３】
【補正対象書類名】明細書
【補正対象項目名】０００１
【補正方法】変更
【補正の内容】
【０００１】
本発明は、振袖などの着物をドレスのように着付ける方法に関する。
【手続補正４】
【補正対象書類名】明細書
【補正対象項目名】０００８
【補正方法】変更
【補正の内容】
【０００８】
そこで、本発明は、高度な着付け技術を必要とせずに、振袖などの着物をドレスのように着付ける方法を提供することを目的とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
本発明の第１は、着物をドレスのように着付ける方法であって、
着物の襟部分の内側中央部を着用者のバスト位置にあてるとともに、着物の襟部分の両サイドを、それぞれ着用者の左右の脇を通して背中側にまわす工程と、
長手方向に伸縮自在な第一のゴム及び前記第一のゴムの一方の端部に取り付けられた紐からなるベルト部と、前記第一のゴムの他方の端部に取り付けられた、着物を留めるクリップ部と、一方の端部が前記第一のゴムに取り付けられた、長手方向に伸縮自在な第二のゴムとを有する着物着付け用ベルト（Ｂ）を２つ準備し、それらのクリップ部を、それぞれ着物の襟部分の左右両サイドに留める工程と、
前記着物着付け用ベルト（Ｂ）の２つが有する前記ベルト部を左右クロスさせ、それぞれ着用者の左右の脇を通してアンダーバスト位置にまわし再度左右クロスさせ、さらに着用者の左右の脇を通して背中側にまわした状態で前記着物着付け用ベルト（Ｂ）の２つが有する前記紐を結ぶことで、着物の襟部分を着用者のバスト周りに固定する工程と、
着用者のウエスト位置にある着物の背中部分を適宜折り畳んで、着用者の足下位置にある着物の丈を調整する工程と、
前記着物着付け用ベルト（Ｂ）の２つが有する前記第二のゴムを、それぞれ着用者の左右の脇を通してウエスト位置に巻き付けることで、着物の背中部分を着用者のウエスト周りに固定する工程と
を有する方法である。
【手続補正８】
【補正対象書類名】明細書
【補正対象項目名】００１２
【補正方法】変更
【補正の内容】
【００１２】
本発明の第２は、着物をドレスのように着付ける方法であって、
着物の襟部分の内側中央部を着用者のバスト位置にあてるとともに、着物の襟部分の両サイドを、それぞれ着用者の左右の脇を通して背中側にまわす工程と、
長手方向に伸縮自在な第一のゴム及び前記第一のゴムの一方の端部に取り付けられた紐からなるベルト部と、前記第一のゴムの他方の端部に取り付けられた、着物を留めるクリップ部とを有する着物着付け用ベルト（Ａ）を４つ準備し、それらのクリップ部を２つずつ、それぞれ着物の襟部分の左右両サイドに留める工程と、
前記着物着付け用ベルト（Ａ）のうち、着物の襟部分の左右両サイドに留めた１つずつが有する前記ベルト部を左右クロスさせ、それぞれ着用者の左右の脇を通してアンダーバスト位置にまわし再度左右クロスさせ、さらに着用者の左右の脇を通して背中側にまわした状態で前記着物着付け用ベルト（Ａ）の２つが有する前記紐を結ぶことで、着物の襟部分を着用者のバスト周りに固定する工程と、
着用者のウエスト位置にある着物の背中部分を適宜折り畳んで、着用者の足下位置にある着物の丈を調整する工程と、
前記着物着付け用ベルト（Ａ）のうち、残りの２つが有する前記ベルト部を、それぞれ着用者の左右の脇を通してウエスト位置に巻き付けることで、着物の背中部分を着用者のウエスト周りに固定する工程と
を有する方法である。
【手続補正９】
【補正対象書類名】明細書
【補正対象項目名】００１３
【補正方法】変更
【補正の内容】
【００１３】
本発明では、上記の着物着付け用ベルトを使用することで、高度な着付け技術を必要とせずに、振袖などの着物をドレスのように着付けることができる。